(57)【特許請求の範囲】
【請求項１】
上層階（１０）における床下部分の一部が軒天部（１４）となって屋外に露出した住宅の断熱構造であって、前記軒天部（１４）の軒天井板（２０）上方において、前記上層階（１０）の鋼製床梁（２８・・）によって囲まれた空間部（３５）（３５）に第１断熱材（４０）（４０）を充填するとともに、前記鋼製床梁（２８）の下端部に覆い被さるようにして、繊維状断熱材をフィルムで被覆してなる柔軟性を有する第２断熱材（４１）を取り付けて、これら第１及び第２断熱材（４０）（４０）（４１）によって構成された前記軒天部（１４）上方の断熱面（４２）を、前記上層階（１０）の外壁部（１１）に沿った断熱面（１５）と下層階（１２）の外壁部（１３）に沿った断熱面（１６）との間に跨るように配置してなり、前記鋼製床梁（２８・・）は、水平方向の一対のフランジ（４５）（４５）を垂直方向のウエブ（４６）によって連結したＨ形鋼からなり、前記第１断熱材（４０）（４０）を、前記鋼製床梁（２８・・）のウエブ（４６・・）間に跨るようにして設置するとともに、前記鋼製床梁（２８）の下側のフランジ（４５）に巻き付けた前記第２断熱材（４１）に押さえ材（５０）を外嵌することによって、前記第２断熱材（４１）を、前記下側のフランジ（４５）に押し付け固定し、前記押さえ材（５０）は、前記第２断熱材（４１）の下面部分を押し付ける底部（５１）と、この底部（５１）の両端から立ち上がって前記第２断熱材（４１）の側面部分を押し付ける一対の側部（５２）（５２）とを備え、これら側部（５２）（５２）の先端は、互いに離間する方向に折り返しされていることを特徴とする住宅の断熱構造。
【発明の詳細な説明】
【技術分野】
【０００１】
この発明は、住宅の断熱構造、特に上層階における床下部分の一部が軒天部となって屋外に露出した部位の断熱構造に係る。
【背景技術】
【０００２】
近年の住宅においては、快適性の向上や冷暖房の効率を高めて省エネルギー化を図るために、その内部空間を囲むように断熱ラインを形成して、良好な断熱性を確保した構造のものが知られている。このような断熱ラインは、住宅の外壁、天井及び床の内部に設けた断熱面を繋げることで形成されている。
【０００３】
住宅の中には、図７（ａ）に示すようなピロティ１、図７（ｂ）に示すようなアルコーブ２、図７（ｃ）に示すような玄関３、図７（ｄ）に示すようなオーバーハング部位４を設けることで、上層階１０の外壁部１１に対して下層階１２の外壁部１３が部分的に屋内側に凹んだ状態となり、上層階１０における床下部分の一部が軒天部１４となって屋外に露出した構造のものが見受けられる。
【０００４】
このような軒天部１４が設けられた部分では、図８に示すように、上層階１０の外壁部１１の断熱面１５と下層階１２の外壁部１３の断熱面１６とが横方向にずれて断熱ラインが分断されることになるため、従来においては、軒天部１４の軒天井板２０上に軒裏断熱材２１を載置することで、上下の断熱面１５、１６を繋ぐための横方向の断熱面２２を設けるようにしている。なお、上層階１０の外壁部１１の断熱面１５は、壁断熱材２５、床部２６の断熱性を有するＡＬＣ等からなる床材２７の外周端部、及び床部２６の外周床梁２８に沿って配置した梁中断熱材２９によって構成され、下層階１２の外壁部１３の断熱面１６は、壁断熱材３０によって構成されている。このような屋外に露出した軒天部付近の断熱構造は、例えば特許文献１にも開示されている。
【０００５】
【特許文献１】特開平１０−２３７９７４号公報
【発明の開示】
【発明が解決しようとする課題】
【０００６】
しかしながら、上記のような断熱構造においては、以下のような不具合があった。すなわち、屋外に露出した軒天部１４は、図８に示すように、床部２６の床梁２８・・の下方に配置されていて、床梁２８・・と軒天部１４との間に生じる隙間３１を、上層階１０の外壁部１１の直下に設けた床下垂れ壁３２によって覆い隠していることが多い。ところが、このような床下垂れ壁３２を設けた場合、軒天部１４の軒天井板２０上に断熱材２１を載置しただけでは、床下垂れ壁３２付近において断熱ラインが途切れることになるから、床下垂れ壁３２に沿って断熱材３３を配置して断熱ラインが途切れないようにする必要があり、このため断熱処理が煩雑になるといった不具合があった。
【０００７】
また、軒天部１４には、照明機器その他各種の電気機器を設けることがあるが、この場合、軒天部１４の軒天井板２０上に断熱材２１を載置していると、この断熱材２１が電気機器に対する配線作業やメンテナンスに際しての邪魔になるといった不具合もあった。
【０００８】
この発明は、上記の不具合を解消して、上層階における床下部分の一部が軒天部となって屋外に露出した部位の断熱処理を簡単且つ良好に行うことができ、しかも軒天部に設けた電気機器等に対する配線作業やメンテナンスにも支障をきたすことのない住宅の断熱構造の提供を目的とする。
【課題を解決するための手段】
【０００９】
上記課題を解決するため、この発明は、上層階１０における床下部分の一部が軒天部１４となって屋外に露出した住宅の断熱構造であって、前記軒天部１４の軒天井板２０上方において、前記上層階１０の鋼製床梁２８・・によって囲まれた空間部３５、３５に第１断熱材４０、４０を充填するとともに、前記鋼製床梁２８の下端部に覆い被さるようにして、繊維状断熱材をフィルムで被覆してなる柔軟性を有する第２断熱材４１を取り付けて、これら第１及び第２断熱材４０、４０、４１によって構成された前記軒天部１４上方の断熱面４２を、前記上層階１０の外壁部１１に沿った断熱面１５と下層階１２の外壁部１３に沿った断熱面１６との間に跨るように配置してなる。
【００１０】
具体的に、前記鋼製床梁２８・・は、水平方向の一対のフランジ４５、４５を垂直方向のウエブ４６によって連結したＨ形鋼からなり、前記第１断熱材４０、４０を、前記鋼製床梁２８・・のウエブ４６・・間に跨るようにして設置するとともに、前記鋼製床梁２８の下側のフランジ４５に巻き付けた前記第２断熱材４１に押さえ材５０を外嵌することによって、前記第２断熱材４１を、前記下側のフランジ４５に押し付け固定している。
【００１１】
そして、前記押さえ材５０は、前記第２断熱材４１の下面部分を押し付ける底部５１と、この底部５１の両端から立ち上がって前記第２断熱材４１の側面部分を押し付ける一対の側部５２、５２とを備え、これら側部５２、５２の先端は、互いに離間する方向に折り返しされている。
【発明の効果】
【００１２】
この発明の断熱構造では、上層階における床下部分の一部が軒天部となって屋外に露出した部位において、上層階の外壁部の断熱面と下層階の外壁部の断熱面とを繋ぐための横方向の断熱面を、従来の軒天部付近から軒天部上方の床梁の高さレベルまで上げるようにしている。これにより、床梁よりも下方における断熱対策は不要となり、上層階の外壁部の直下に設けた床下垂れ壁によって、床梁と軒天部との間に生じる隙間を覆い隠すようにしていても、従来のように床下垂れ壁に沿った断熱材を設ける必要がなく、断熱処理を簡単且つ良好に行うことができる。
【００１３】
しかも、軒天部に照明機器その他各種の電気機器を設けることがあっても、それら電気機器に対する配線作業やメンテナンスに際して邪魔になる軒天部付近の断熱材を廃止できることから、これら配線作業やメンテナンスも良好に行うことができる。
【００１４】
さらに、第２断熱材に外嵌した押さえ材によって、第２断熱材を鋼製床梁の下側のフランジに押し付け固定しているので、例えば両面テープや接着剤等によって取り付ける場合と比べて、第２断熱材の垂れ下がりや剥がれ落ちを確実に抑えて、長期に亘って良好な取付状態を維持することができ、断熱性を安定して確保することができる。
【発明を実施するための最良の形態】
【００１５】
以下、この発明の実施形態を図面に基づいて詳細に説明する。この発明の一実施形態に係る住宅の断熱構造は、住宅の内部空間を囲むように断熱ラインを形成して、良好な断熱性を確保している。
【００１６】
そして、図７に示すような上層階１０における床下部分の一部が軒天部１４となって屋外に露出した部位では、図１及び図２に示すように、軒天部１４の軒天井板２０上方において、上層階１０の床部２６の鋼製床梁２８・・によって囲まれた空間部３５、３５に第１断熱材としての梁間断熱材４０、４０が充填されるとともに、所定の床梁２８の下端部に覆い被さるようにして第２断熱材としての梁下断熱材４１が取り付けられている。そして、これら梁間断熱材４０、４０及び梁下断熱材４１によって構成された軒天部１４上方の横方向の断熱面４２が、上層階１０の外壁部１１に沿った縦方向の断熱面１５と下層階１２の外壁部１３に沿った縦方向の断熱面１６との間に跨るように配置されて、断熱ラインが良好に確保されている。なお、上層階１０の外壁部１１の断熱面１５は、壁断熱材２５、床部２６の断熱性を有するＡＬＣ等からなる床材２７の外周端部、及び床部２６の外周床梁２８に沿って配置した梁中断熱材２９によって構成され、下層階１２の外壁部１３の断熱面１６は、壁断熱材３０によって構成されている。
【００１７】
また、屋外に露出した軒天部１４は、床梁２８・・の下方に配置されていて、床梁２８・・と軒天部１４との間に生じる隙間３１が、上層階１０の外壁部１１の直下に設けた床下垂れ壁３２によって覆い隠されているが、上記のように既に断熱ラインが良好に確保されているので、従来のような軒天井板２０上の断熱材や床下垂れ壁３２に沿った断熱材は設けられていない。
【００１８】
床梁２８は、図３及び図４に示すように、水平方向の一対のフランジ４５、４５を垂直方向のウエブ４６によって連結したＨ形鋼からなる。そして、複数の鋼製床梁２８・・が方形枠状に組み付けられて、その枠内が上記の空間部３５、３５となっている。なお、空間部３５、３５には、床梁２８、２８間に差し渡された図示しない繋ぎ材やブレース材等が配されることがある。
【００１９】
梁間断熱材４０は、例えばパネル状に成形した繊維状断熱材を樹脂フィルムで被覆してなり、床梁２８・・のウエブ４６・・間に跨るようにして設置されている。この設置状態において、梁間断熱材４０は、その外周部下面が床梁２８・・の下側のフランジ４５・・上に載置された状態で、床梁２８・・の上下のフランジ４５、４５間に収まっている。なお、空間部３５、３５に繋ぎ材やブレース材が配されている場合には、これら繋ぎ材やブレース材の上側、或いは、繋ぎ材とブレース材との間の隙間に梁間断熱材４０を設置することで、梁間断熱材４０を撓まないように安定して設置することができる。
【００２０】
梁下断熱材４１は、例えば繊維状断熱材を樹脂フィルムで被覆してなり、柔軟性に富んだ変形し易い構造となっている。この梁下断熱材４１は、熱橋となる可能性のある床梁２８の下側のフランジ４５に沿って固定されている。なお、梁中断熱材２９が配された外周床梁２８や、下層階１２の外壁部１３の壁断熱材３０が直下に配された床梁２８については、既に断熱処理が施されているので、梁下断熱材４１の取り付けを不要としている。
【００２１】
梁下断熱材４１の取り付けは、図４及び図５に示すように、梁間断熱材４０、４０の設置前に、押さえ材５０を使用して行われている。この押さえ材５０は、床梁２８の下側のフランジ４５に巻き付けられた梁下断熱材４１に外嵌して、梁下断熱材４１を下側のフランジ４５に押し付け固定するものである。
【００２２】
具体的に、押さえ材５０は、金属製や合成樹脂製等の棒材を折曲形成してなり、梁下断熱材４１の下面部分を押し付ける底部５１と、この底部５１の両端から立ち上がって梁下断熱材４１の側面部分を押し付ける一対の側部５２、５２とを備えている。側部５２、５２は、先端に向かうにつれて互いに近接するように立ち上げられ、それら先端は互いに拡開可能となっている。また、底部５１の長さは、下側のフランジ４５の幅よりも僅かに長く、側部５２、５２の先端間の間隔は、下側のフランジ４５の幅よりも短くなっている。さらに、側部５２、５２の先端は、梁下断熱材４１を傷付けることがないように、互いに離間する方向に折り返しされている。
【００２３】
このような押さえ材５０を、その側部５２、５２の先端を互いに拡開させるように弾性変形させながら、下側のフランジ４５に巻き付けられた梁下断熱材４１に対して下方から被せてから、弾性復帰させることで、側部５２、５２が梁下断熱材４１の側面部分に食い込むとともに、底部５１が梁下断熱材４１の下面部分に食い込んだ状態となって、梁下断熱材４１が下側のフランジ４５に押し付け固定されるようになっている。また、この押し付け固定状態において、梁下断熱材４１が下側のフランジ４５から剥がれ落ちようとしても、押さえ材５０の側部５２、５２が下側のフランジ４５に干渉することで、剥がれ落ちを防止するようになっている。
【００２４】
なお、梁下断熱材４１の固定に使用する押さえ材５０としては、上記のように棒材を折曲形成したものだけに限らず、例えば図６に示すような金属製や合成樹脂製等の帯板を折曲形成してなる押さえ材５０Ａ、５０Ｂ、５０Ｃを使用しても良い。
【００２５】
上記の断熱構造においては、上層階１０の外壁部１１の断熱面１５と下層階１２の外壁部１３の断熱面１６とを繋ぐ横方向の断熱面４２を、従来の軒天部１４付近から軒天部１４上方の床梁２８・・の高さレベルまで上げているので、特に床下垂れ壁３２に沿った断熱材を廃止することができ、断熱処理を簡単且つ良好に行うことができる。
【００２６】
しかも、軒天部１４に照明機器その他各種の電気機器を設けることがあっても、それら電気機器に対する配線作業やメンテナンスに際して邪魔になる軒天部１４付近の断熱材が存在しないことから、これら配線作業やメンテナンスも良好に行うことができる。
【００２７】
この発明は、上記実施形態に限定されるものではなく、この発明の範囲内で上記実施形態に多くの修正及び変更を加え得ることは勿論である。
【図面の簡単な説明】
【００２８】
【図１】この発明の一実施形態に係る住宅の断熱構造の要部を示す縦断面図である。
【図２】床梁に設けた断熱材を示す平面図である。
【図３】床梁に設けた断熱材を示す斜視図である。
【図４】梁下断熱材の取付状態を示す分解斜視図である。
【図５】梁下断熱材の取付状態を示す縦断面図である。
【図６】押さえ材の変形例を示す斜視図である。
【図７】上層階における床下部分の一部が軒天部となって屋外に露出した部位を示す斜視図である。
【図８】従来の住宅の断熱構造の要部を示す縦断面図である。
【符号の説明】
【００２９】
１０・・上層階、１１・・上層階の外壁部、１２・・下層階、１３・・下層階の外壁部、１４・・軒天部、１５・・上層階の外壁部の断熱面、１６・・下層階の外壁部の断熱面、２０・・軒天井板、２８・・鋼製床梁、３５・・空間部、４０・・第１断熱材、４１・・第２断熱材、４２・・横方向の断熱面、４５・・フランジ、４６・・ウエブ、５０・・押さえ材
【図１】
0005120078.tif 000002
【図２】
0005120078.tif 000003
【図３】
0005120078.tif 000004
【図４】
0005120078.tif 000005
【図５】
0005120078.tif 000006
【図６】
0005120078.tif 000007
【図７】
0005120078.tif 000008
【図８】
0005120078.tif 000009